(57)【要約】【課題】根太状部材を備えていない床暖房マットにおいて、薄いフローリングを敷設した場合でも足裏の踏み感が良好である床暖房マットと、この床暖房マットを用いた暖房床とを提供する。【解決手段】床暖房マット１は、上面に溝２を有した複数枚の基板１１〜１８と、溝２に配設された温水パイプ３とを有する。温水パイプ３の配列ピッチは３０〜６０ｍｍである。床暖房マット１上に薄い防音床３０が敷設されている。防音床３０の厚さは好ましくは８〜１５ｍｍである。【選択図】図２
2020024062.tif 000002
【特許請求の範囲】
【請求項１】
上面に配管収容用の溝が設けられた基板と、
該溝に収容された温水パイプとを有する床暖房マットにおいて、
根太状部材が設けられておらず、
前記温水パイプの配列ピッチが３０〜６０ｍｍであることを特徴とする床暖房マット。
【請求項２】
前記温水パイプの外径ｄと前記基板の厚さａとの比ｄ／ａが０．６０〜０．７５であることを特徴とする請求項１の床暖房マット。
【請求項３】
前記温水パイプの外径ｄと前記基板の厚さａとの比ｄ／ａが０．４０〜０．５５であることを特徴とする請求項１の床暖房マット。
【請求項４】
請求項１〜３のいずれか１項の床暖房マットが床面に敷設され、該床暖房マットを覆うように防音床が設けられている暖房床。
【請求項５】
前記防音床の厚さが８〜１５ｍｍであることを特徴とする請求項４の暖房床。
【発明の詳細な説明】
【技術分野】
【０００１】
本発明は、温水を通水することによって建物の床の暖房を行うための床暖房マットと、この床暖房マットを敷設した暖房床に関する。
【０００２】
なお、以下の説明において、床暖房マットの上面とは、該床暖房マットを床上に敷設したときの上面をいい、床暖房マットの下面とは、該床暖房マットを床上に敷設したときの下面をいう。
【背景技術】
【０００３】
温水を利用した床暖房マットとして、板状のベースの上面の溝に温水パイプを引き回したものが広く用いられている。
【０００４】
特許文献１の図２には、溝付きのマット層の該溝に温水パイプを配置し、該マット層の上にクッション材を介して木質防音床材を配置した構造が示されている。特許文献１の実施例には、溝を幅及び深さ７．２ｍｍ、ピッチ７５ｍｍで設けることが記載されている。
【０００５】
特許文献２には、温水パイプを備えた発泡合成樹脂成形体同士の間に根太状部材を設けた床暖房マットが記載されている。根太状部材は、上方からの荷重を受けるためのものであり、幅４０〜５０ｍｍ程度の木材等よりなる（特許文献２、００１８段落）、また特許文献２では、根太状部材を３００〜３０５ｍｍのピッチで配列する（請求項１）。
【０００６】
特許文献２では、床暖房マットとしての放熱パネルの上に、天然木材よりなる床仕上材（フローリング）が配置される（特許文献２、００１２段落）。この床仕上材は根太状部材に対し釘留めされる（特許文献２、図４）。
【０００７】
スラブ面（建物躯体床面）に温水床暖房マットを敷設し、その上に直貼りの防音床を敷設した暖房床においては、防音床の厚みが大きい場合には、防音床を踏んでも足裏の沈み込みはなく、違和感はない。しかしながら、近年、特にリフォーム向けに、防音床の厚みを薄くして、トータルの仕上がり厚を小さくすることがある。このような場合には、防音床が薄いために、防音床上を歩行したりしたときに、防音床が若干沈み込み、違和感を感取することがある。即ち、床暖房マットに配設された温水パイプは、剛性が高いが、発泡合成樹脂よりなるベースはそれよりも剛性が低いので、足裏が温水パイプ同士の間のベースを主に踏んだときには、足裏の沈み込みが大きく、違和感が感取される。また、足裏が温水パイプと該ベースとの双方に当ったときには、温水パイプに当った足裏箇所では硬質感が感取され、ベースに当った足裏箇所では軟質感が感取され、やはり足裏に違和感が生じる。
【０００８】
特許文献２のように根太状部材を設け、フローリングを根太状部材に載荷状に設置した場合においても、フローリング厚が小さいときには、同様に違和感が生じる。また、この場合、根太状部材（高剛性）とベース（低剛性）との境界部付近を踏んだときにも違和感が生じる。特許文献２において、フローリング厚を大きくしたのでは、暖房床の仕上がり厚が大きくなってしまう。なお、フローリング厚を大きくすると、床暖房の熱効率が低下する。
【先行技術文献】
【特許文献】
【０００９】
【特許文献１】特開２００６−１４４２７３号公報
【特許文献２】特開２００８−３０９０９５号公報
【発明の概要】
【発明が解決しようとする課題】
【００１０】
本発明は、根太状部材を備えていない床暖房マットにおいて、薄い（厚みの小さい）フローリングを敷設した場合でも足裏の踏み感が良好である床暖房マットと、この床暖房マットを用いた暖房床とを提供することを目的とする。
【課題を解決するための手段】
【００１１】
本発明の床暖房マットは、上面に配管収容用の溝が設けられた基板と、該溝に収容された温水パイプとを有する床暖房マットにおいて、根太状部材が設けられておらず、前記温水パイプの配列ピッチが３０〜６０ｍｍであることを特徴とする。
【００１２】
本発明の床暖房マットの一態様では、前記温水パイプの外径ｄと前記基板の厚さａとの比ｄ／ａが０．６〜０．７５である。
【００１３】
本発明の床暖房マットの一態様では、前記温水パイプの外径ｄと前記基板の厚さａとの比ｄ／ａが０．４〜０．５５である。
【００１４】
本発明の暖房床では、かかる本発明の床暖房マットが床面に敷設され、該床暖房マットを覆うように防音床が設けられている。
【００１５】
本発明の暖房床の一態様では、前記防音床の厚さが８〜１５ｍｍである。
【発明の効果】
【００１６】
本発明の床暖房マット及び暖房床にあっては、温水パイプのピッチを従来よりも小さくしており、暖房床の上を人が歩いたりしたときの足裏の荷重が従来よりも多数本の温水パイプで受け止められるようになり、足裏の沈み込みによる違和感が全く又は殆ど感取されないようになる。また、根太状部材を設けておらず、根太状部材と基板との境界部が存在しない。そのため、長年使用しても該境界部に起因した違和感が生じない。
【図面の簡単な説明】
【００１７】
【図１】実施の形態に係る床暖房マットの平面図である。
【図２】実施の形態に係る暖房床の縦断面図である。
【図３】実施の形態に係る暖房床の分解断面図である。
【図４】（ａ）は床暖房マットの拡大縦断面図、（ｂ）はＵ字アルミ及び温水パイプの断面図である。
【図５】参考例の床の構成図である。
【図６】実施例の暖房床の構成図である。
【図７】比較例の暖房床の構成図である。
【発明を実施するための形態】
【００１８】
以下、図面を参照して実施の形態について説明する。なお、以下の各実施の形態は本発明の一例であり、本発明は以下の各実施の形態以外の形態をもとりうる。
【００１９】
この床暖房マット１は、長方形状の８枚の基板（ベース）１１〜１８と、各基板１１〜１８の上面に設けられた溝２（図４（ａ））に配材された温水パイプ３と、該温水パイプ３が連なるヘッダー４（図１）と、各基板１１〜１８の上面を覆うように配置され、各基板１１〜１８の上面に付着された均熱シート５等を備える。この床暖房マット１は、根太状部材を備えていない。
【００２０】
溝２には、図４（ｂ）の通り、アルミ箔よりなるＵ字アルミと称される伝熱部材７が配設される場合もあり、この場合は、伝熱部材７を介して温水パイプ３が配設される。
【００２１】
基板１１〜１８としては、密度が１０〜１００ｋｇ／ｍ３程度の発泡ポリプロピレン、発泡ポリエチレン、発泡ポリスチレン、発泡ポリウレタンなどを用いることができる。均熱シート５としては、厚さ２０〜１５０ｍｍ程度のアルミ箔、銅箔等を用いることができる。均熱シート５の付着には、アクリル系、エチレン−酢酸ビニル系、ポリアミド系、ポリエステル系等の接着剤を用いることができる。ただし、これらは一例であって、本発明はこれらに限定されない。
【００２２】
基板１１〜１８の２３℃における圧縮応力（試験法ＪＩＳ  Ｋ  ６７６７に準拠した試験での５％ひずみ時）は０．２〜３．０ＭＰａ特に０．３〜１．５ＭＰａ程度が好ましい。基板が発泡ポリスチレンよりなる場合、発泡倍率は５〜２５倍特に１５〜２０倍であることが好ましい。
【００２３】
基板１１〜１８の厚さａは、好ましくは、６ｍｍ以上、特に９ｍｍ以上とりわけ１０ｍｍ以上であり、また２４ｍｍ以下、特に１８ｍｍ以下、とりわけ１５ｍｍ以下である。
【００２４】
溝２の深さｃは、温水パイプ３の直径（外径）と、伝熱部材７の肉厚との和であることが好ましい。温水パイプ３の外径ｄは、好ましくは、３ｍｍ以上、特に４ｍｍ以上とりわけ５ｍｍ以上であり、また１２ｍｍ以下、特に１０ｍｍ以下、とりわけ９ｍｍ以下である。
【００２５】
本発明の一態様では、該外径ｄと基板１１〜１８の厚みａとの比ｄ／ａが０．６０以上、特に０．６３以上で、０．７５以下、特に０．７２以下であることが好ましい。
【００２６】
本発明の別の一態様では、ｄ／ａが０．４０以上特に０．４２以上で、０．５５以下特に０．５０以下であることが好ましい。
【００２７】
図１の通り、長方形状の基板１１〜１４が、各々の長辺を突き合わせるようにしてこの順に一列に配列されている。また、基板１５〜１８がこの順に、各々の長辺を突き合わせるようにして、且つ該基板１１〜１４に隣接するように一列に配列されている。各基板１１〜１４の短辺と各基板１５〜１８の短辺とが突き合わされている。この床暖房マット１では、前述の通り、根太状部材は用いられていない。
【００２８】
各基板１１〜１８においては、溝２は各基板１１〜１８の長手方向に平行に延設されている。各溝は、各基板の長手方向の一端側から他端側に向って延在し、該他端側においてＵターン状に略Ｕ字形に湾曲し、該他端側から前記一端側にまで延在している。一部の溝２は、該他端側においてさらにＵ字形に湾曲し、つづら折り状に延在している。
【００２９】
図１の通り、２本の温水パイプ３の往側の一端がヘッダー４に接続され、基板１５，１１，１２，１３，１４の順に引き回され、戻り側が基板１４，１３，１２，１１，１５の順に引き回され、各温水パイプ３の他端がヘッダー４に接続されている。残りの２本の温水パイプ３の往側は、ヘッダー４から基板１５，１６，１７，１８の順に引き回され、戻り側が基板１８，１７，１６，１５の順に引き回されている。
【００３０】
この実施の形態では、溝２の配設ピッチｐ（各基板１１〜１８において、基板の長手方向と平行方向に延在する、隣接温水パイプ３，３の中心間距離）は３０ｍｍ以上、特に４０ｍｍ以上、とりわけ４５ｍｍ以上であり、また７０ｍｍ以下、特に６５ｍｍ以下、とりわけ６０ｍｍ以下である。温水パイプ３は、基板の短手幅方向の３０３ｍｍの範囲に６〜８本存在することが好ましい。ピッチｐは床暖房マット１の全体において均一であってもよく、均一でなくてもよい。均一でない場合は、もっとも広いピッチが、もっとも狭いピッチの１．５倍未満に収まることが好ましい。
【００３１】
温水パイプ３としては、直径（外径）が３ｍｍ以上特に３．５ｍｍ以上で９ｍｍ以下特に８．５ｍｍ以下のものが好ましい。
【００３２】
温水パイプ３は、架橋ポリエチレン、ポリエチレン、ポリプロピレン、ポリブデンなどよりなることが好ましい。
【００３３】
温水パイプ３に用いられる素材は、基板１１〜１８よりも高剛性であり、具体的には２３℃におけるデュロメーター硬度（測定法ＪＩＳ  Ｋ  ７２１５）が５０〜７５、特に５５〜７０程度であることが好ましい。
【００３４】
このように基板１１〜１８及び温水パイプ３等を備えた床暖房マット１は、図２，３の通り、建物の床スラブ２０上に敷設され、その上にフローリングとして防音床３０が敷設される。なお、この実施の形態では、床スラブ２０に浅い凹所２１が形成され、床暖房マット１は該凹所２１内に配置されている。床暖房マット１の上面と凹所２１の周囲のスラブ面２２とは面一状とされる。防音床３０は、床暖房マット１の上面とスラブ面２２とを覆うように敷設される。
【００３５】
なお、床スラブ２０の凹所２１を省略して床スラブ２０の上面を平坦とし、代りに床暖房マット１の周囲に床暖房マット１と同一厚さのダミー材を敷設してもよい。
【００３６】
この実施の形態では、防音床３０としては、合板よりなる基材３１の表面に突板（木材を０．２〜０．６ｍｍ程度に薄くスライスした板材）（図示略）を積層し、基材３１の裏面に複数本の切り溝３２を穿設し、クッション層３３を積層して成るものが好ましいが、これに限定されない。防音床３０の全体厚さは８ｍｍ〜１５ｍｍ程度であり、より厚みの薄いもので８〜１０ｍｍ程度である。
【００３７】
基材３１と突板との合計厚さは５〜１２ｍｍ特に７〜１０ｍｍ程度が好ましい。クッション層３３としては、ポリエステル等の不織布や、ウレタンスポンジなどが好適である。クッション層３３の厚さは３〜８ｍｍ特に５〜７ｍｍ程度が好ましい。
【００３８】
防音床としては、上面に突板を貼った基材の裏面から基材に切り溝を穿設し、裏面にクッション層を積層したものも好適である。
【００３９】
このように構成された床暖房マット１及びこの床暖房マット１を用いた暖房床（図２）にあっては、床暖房マット１に根太状部材が存在せず、また温水パイプ３のピッチｐが３０〜６０ｍｍと小さい。温水パイプ３のピッチが小さいので、防音床３０上を歩いたりしたときに足裏の荷重が特許文献１等の従来の床暖房マットよりも多数本の温水パイプによって受け止められるようになり、足裏の沈み込みが全く又は殆ど感取されない。この結果、踏み感が良好となる。特に、防音床３０の厚みが小さいときの踏み感が従来に比べ顕著に向上する。また、温水パイプ３のピッチを小さくすることにより、加熱ムラのない暖房床を提供することができる。
【００４０】
また、この実施の形態では、特許文献２のような根太状部材を設けていないので、経時的に（数年以上程度の長期使用によって）基板１１〜１８の厚みが減少したとしても、根太状部材と基板１１〜１８との境界部に起因した踏み感の違和感が生じない。即ち、特許文献２のように根太状部材を設けた床暖房マットにあっては、根太状部材がある箇所と根太状部材のない箇所とで経時的に床暖房マットに厚み差が生じ、これに起因して床暖房マットの踏み感にムラが生じるようになることがある。本発明の床暖房マットでは、根太状部材が存在しないので、かかる床暖房マットの厚さの経時変化に起因した踏み感ムラが生じない。
【００４１】
また、この実施の形態では、基板１１〜１８に設けた溝２の底面と基板１１〜１８の下面との間の厚さｂが十分に大きいので、温水パイプ３から下方に伝わって逃げる熱量が少なく、暖房効率が良好である。
【００４２】
また、この実施の形態では、温水パイプ３の直径（外径）を従来の７〜８．５ｍｍよりも小さくしているので、温水パイプ３内の温水（湯）の流量を少なくすることができ、ボイラ等の熱源機にかかる負荷を小さくすることができる。
【００４３】
なお、温水パイプ３の径を小さくすることにより、溝２の深さｃが小さいものとなる。そのため、基板１の厚さが同一である場合、溝２の深さｃを小さくしたことにより、溝２の下側の厚さｂが大きくなり、その結果、床暖房マット１の下面側に逃げる熱ロスを減少させることが可能である。
【００４４】
なお、温水パイプ３の外径ｄと基板１１〜１８の厚さａとの比ｄ／ａが０．６〜０．７５であると、踏み感がより向上するという効果が得られる。また、ｄ／ａが０．４〜０．５５であると、断熱効果が得られる。
【００４５】
上記実施の形態は本発明の一例であり、本発明は上記以外の形態とされてもよい。
【実施例】
【００４６】
下記参考例１〜３の床、並びに実施例１〜３及び比較例１〜４の暖房床に対し、φ５０ｍｍの圧縮棒を、荷重６０ｋｇｆ、圧縮スピード１３ｍｍ／ｍｉｎにて押し付けた場合の歪量（ｍｍ）を歪みゲージから読み取った。また、足裏で踏んだときの沈み込みの有無に基づいて踏み感試験した。
【００４７】
［参考例１］
床スラブの代替となる厚さ１ｍｍのアルミ板を水平に設置し、その上に、市販の防音床（永大産業製  ＤＸＷＰ−ＬＣ２  厚み１３．５ｍｍ（木層７ｍｍ、クッション層６．５ｍｍ））を敷設し、図５（ａ）に示す床を作成した。この床について、圧縮試験評価をしたところ、歪量は４．７５ｍｍであり、踏み感試験では、足裏に沈み込みを感じなかった。
【００４８】
［参考例２］
参考例１において、図５（ｂ）の通り、防音床の下に１２ｍｍ合板を介在させた。この床について、圧縮試験評価をしたところ、歪量は４．７５ｍｍであり、踏み感試験では、足裏に沈み込みを感じなかった。
【００４９】
［参考例３］
参考例２において、合板の代りに１２ｍｍ厚、発泡倍率２０倍のＥＰＳ基板を介在させて図５（ｃ）の床を構成した。歪量は５．５０ｍｍであり、踏み感試験では、足裏に沈み込みを感じた。
【００５０】
［実施例１］
参考例３において、図６（ａ）の通り、厚さ１２ｍｍ、発泡倍率２０倍のＥＰＳ基板に外径φ８．３ｍｍの温水パイプを配管ピッチ５０ｍｍとなるように配した床暖房マットを敷設することにより暖房床を作成した。この暖房床について、圧縮試験評価をしたところ、歪量は４．７５ｍｍであり、踏み感試験では、足裏に沈み込みを感じなかった。
【００５１】
［実施例２］
実施例１において、温水パイプの外径をφ５．５ｍｍに変更したこと以外は実施例１と同様にして圧縮試験評価を行った（図６（ｂ））。歪量は４．７５ｍｍであり、踏み感試験では、足裏に沈み込みを感じなかった。
【００５２】
［実施例３］
実施例２において、床暖房マットの基板の厚みを５．５ｍｍに変更した以外は実施例２と同様にして圧縮試験評価を行った（図６（ｃ））。歪量は４．７５ｍｍであり、踏み感試験では、足裏に沈み込みを感じなかった。
【００５３】
［比較例１］
実施例１において、温水パイプの配管ピッチを７５ｍｍに変更した以外は、実施例１と同様にして圧縮試験評価を行った（図７（ａ））。歪量は５．００ｍｍであり、踏み感試験では、足裏に沈み込みを感じた。
【００５４】
［比較例２］
比較例１において、温水パイプの外径をφ７．２ｍｍに変更したこと以外は比較例１と同様にして圧縮試験評価を行った（図７（ｂ））。歪量は５．００ｍｍであり、踏み感試験では、足裏に沈み込みを感じた。
【００５５】
［比較例３］
比較例１おいて、温水パイプの外径をφ５．５ｍｍに変更したこと以外は比較例１と同様にして圧縮試験評価を行った（図７（ｃ））。歪量は５．５０ｍｍであり、踏み感は、足裏に沈み込みを感じた。
【００５６】
［比較例４］
比較例３において、ＥＰＳからなる基板の厚みを５．５ｍｍに変更したこと以外は比較例３と同様にして圧縮試験評価を行った（図７（ｄ））。歪量は５．２５ｍｍであり、踏み感試験では、足裏に沈み込みを感じた。
【００５７】
【表１】
2020024062.tif 000003
【符号の説明】
【００５８】
１  床暖房マット
２  溝
３  温水パイプ
４  ヘッダー
５  均熱シート
１１〜１８  基板
２０  スラブ
３０  防音床
【図１】
2020024062.tif 000004
【図２】
2020024062.tif 000005
【図３】
2020024062.tif 000006
【図４】
2020024062.tif 000007
【図５】
2020024062.tif 000008
【図６】
2020024062.tif 000009
【図７】
2020024062.tif 000010